(57)【要約】      （修正有）【課題】簡易に情報機器を設置することができ、空間を有効利用することもでき、より多くの情報機器を収納することが可能な情報分電盤用箱体を提供する。【解決手段】ベース体４に、情報機器３を設置するための設置板１１を取り付けるとともに、設置板１１の前方を覆うように、その表面に情報機器３を設置可能な設置フレーム体２１を取り付けた。また、設置フレーム体２１の周縁部に、外方へ突出する突起を所定間隔毎に複数設け、設置フレーム体２１の表面に位置された情報機器３に対し、バンド部材３０を突起間に位置させた状態で巻き回すことによって、情報機器３を設置体の表面に締め付け固定可能とした。【選択図】図２
2018074037.tif 000002
【特許請求の範囲】
【請求項１】
情報機器が設置されるベース体と、前記ベース体の前側を覆うように組み付けられるカバー体とを有する情報分電盤用箱体であって、
前記ベース体に、前記情報機器を設置するための設置板が取り付けられているとともに、前記設置板の前方を覆うように、その表面に前記情報機器を設置可能な設置体が取り付けられており、
さらに、前記設置体の周縁部に、外方へ突出する突起が所定間隔毎に複数設けられており、
前記設置体の表面に位置された前記情報機器に対し、バンド部材を前記突起間に位置させた状態で巻き回すことによって、前記情報機器を前記設置体の表面に締め付け固定可能としたことを特徴とする情報分電盤用箱体。
【請求項２】
前記設置体の下縁に、前方へせり出す支持段部が設けられており、前記設置体の表面に固定される前記情報機器の底面を支持可能としたことを特徴とする請求項１に記載の情報分電盤用箱体。
【発明の詳細な説明】
【技術分野】
【０００１】
本発明は、各種情報機器を収納した情報分電盤に使用される情報分電盤用箱体に関するものである。
【背景技術】
【０００２】
従来、情報分電盤に使用される情報分電盤用箱体としては、後側に配置されるベース体の前側をカバー体で覆ったものが知られている（たとえば特許文献１）。そして、そのような情報分電盤用箱体では、ベース板に木製の設置板を取り付け、その設置板の前面に情報機器をネジ止めする等して設置していた。
【先行技術文献】
【特許文献】
【０００３】
【特許文献１】特開２０１０−１０４０７３号公報
【発明の概要】
【発明が解決しようとする課題】
【０００４】
しかしながら、上記従来の情報分電盤用箱体では、情報機器を一々ネジ止めしなければならず、設置作業が煩雑であるという問題がある。また、情報分電盤用箱体内の空間の有効利用という点でも課題を抱えていた。
【０００５】
そこで、本発明は、上記問題に鑑みなされたものであって、従来よりも簡易に情報機器を設置することができる上、空間の有効利用することができ、より多くの情報機器を収納することができる情報分電盤用箱体を提供しようとするものである。
【課題を解決するための手段】
【０００６】
上記目的を達成するために、本発明のうち請求項１に記載の発明は、情報機器が設置されるベース体と、前記ベース体の前側を覆うように組み付けられるカバー体とを有する情報分電盤用箱体であって、前記ベース体に、前記情報機器を設置するための設置板が取り付けられているとともに、前記設置板の前方を覆うように、その表面に前記情報機器を設置可能な設置体が取り付けられており、さらに、前記設置体の周縁部に、外方へ突出する突起が所定間隔毎に複数設けられており、前記設置体の表面に位置された前記情報機器に対し、バンド部材を前記突起間に位置させた状態で巻き回すことによって、前記情報機器を前記設置体の表面に締め付け固定可能としたことを特徴とする。
請求項２に記載の発明は、請求項１に記載の発明において、前記設置体の下縁に、前方へせり出す支持段部が設けられており、前記設置体の表面に固定される前記情報機器の底面を支持可能としたことを特徴とする。
【発明の効果】
【０００７】
本発明によれば、ベース体に、情報機器を設置するための設置板が取り付けられているとともに、設置板の前方を覆うように、その表面に情報機器を設置可能な設置体が取り付けられている。したがって、設置板しか有さない従来の情報分電盤用箱体と比べて、設置スペースが広く、情報分電盤用箱体内の空間をより有効に利用することができる。また、設置体の周縁部に、外方へ突出する突起が所定間隔毎に複数設けられており、設置体の表面に位置された情報機器に対し、バンド部材を突起間に位置させた状態で巻き回すことによって、情報機器を設置体の表面に締め付け固定することができるため、設置体への情報機器の設置が非常に簡易であるし、締め付け状態にあるバンド部材がずれたりすることもない。
請求項２に記載の発明によれば、設置体の下縁に、前方へせり出す支持段部が設けられており、設置体の表面に固定される情報機器の底面を支持可能としているため、設置体の表面に情報機器を安定して設置することができる。
【図面の簡単な説明】
【０００８】
【図１】情報分電盤の外観を示した斜視説明図である。
【図２】設置フレーム体にバンド部材を利用して情報機器を固定した状態を示した斜視説明図である。
【図３】設置フレーム体の要部を拡大して示した説明図である。
【図４】設置フレーム体に磁石を利用して情報機器を固定した状態を示した斜視説明図である。
【図５】磁石が取り付けられた設置フレーム体に対し、情報機器を固定する前の状態を示した説明図である。
【図６】ベース体から設置フレーム体を取り外した状態を示した説明図である。
【図７】ベース体に機器載置板を取り付けた状態を示した断面説明図である。
【発明を実施するための形態】
【０００９】
以下、本発明の一実施形態となる情報分電盤用箱体（以下、箱体と称す）について、図面にもとづき詳細に説明する。
【００１０】
図１は、情報分電盤１の外観を示した斜視説明図である。図２は、設置フレーム体２１にバンド部材３０を利用して情報機器３を固定した状態を示した斜視説明図である。図３は、設置フレーム体２１の要部を拡大して示した説明図である。図４は、設置フレーム体２１に磁石３１を利用して情報機器３を固定した状態を示した斜視説明図である。図５は、磁石３１が取り付けられた設置フレーム体２１に対し、情報機器を固定する前の状態を示した説明図である。図６は、ベース体４から設置フレーム体２１を取り外した状態を示した説明図である。図７は、ベース体４に機器載置板３２を取り付けた状態を示した断面説明図である。
【００１１】
情報分電盤１は、箱体２内に情報機器３等を収納してなるものであって、箱体２は、情報機器３等が設置されるベース体４と、ベース体４の前側を覆うカバー体５とを備えている。カバー体５は、前面、左右両側面、及び上下両面を有して、後側に開口する箱状に形成されている。また、カバー体５の前面の左右両側には、前面から夫々隣り合う側面へ跨がるように把持部６、６が設けられている。さらに、カバー体５の上下両面には、箱体２内部を通気して、箱体２内部の熱を放熱させるための多数の通気孔７、７・・が穿設されている。
【００１２】
一方、ベース体４は、前後方向が厚み方向となる板状に形成されており、その中央部には、表面に情報機器３をネジ止め可能な木製の設置板１１が備えられている。また、設置板１１の上縁部（ベース体４における設置板１１よりも外方）には、主に電線を引き入れるための４つの第１の通線孔４１、４１・・と、電源コンセント２０を取り付けるための４つのコンセント設置部とが設けられている。各コンセント設置部は、各第１の通線孔４１の開口縁から前方へ突出する一組の突起部１５、１５として構成されており、突起部１５、１５の先端に電源コンセント２０をネジ止めすることにより、第１の通線孔４１の前方に電源コンセント２０を設置することができる。また、ベース体４における設置板１１よりも上方で、設置板１１と第１の通線孔４１、４１・・との間には、主に通信線を引き入れるための第２の通線孔４２、４２が開設されている。なお、８は、ベース体４の外周縁に沿って前方へ立設された周壁部であり、ベース体４の強度向上を担っているとともに、当該周壁部８に、組み付けられたカバー体５を保持するための保持機構が設けられている。
【００１３】
さらに、ベース体４には、上下方向を軸として回動可能な２つの設置フレーム体２１、２１が設けられている。設置フレーム体２１は、左右方向の長さがベース体４の略半分程度となるような正面視矩形に成形された合成樹脂製のフレーム体であって、複数の格子孔２２、２２・・が、略全面にわたって上下左右に並設されている。また、設置フレーム体２１の左右方向での一端側には、ベース体４の側縁部に設けられた軸支部１２、１２に軸支される軸部２３、２３が設けられている。さらに、設置フレーム体２１の左右方向で他端側には、ベース体４の左右方向で中央部に設けられた被係合部１３、１３に係合される係合部２４、２４が設けられている。
【００１４】
また、設置フレーム体２１の下縁には、設置フレーム体２１に設置される情報機器の底面を支持するための支持段部２６が、前方へせり出すように設けられている。さらに、設置フレーム体２１の周縁部（上辺、左右両側辺、及び下辺（支持段部２６を含む））には、外方へ突出する複数の突起２７、２７・・が所定間隔毎に設けられている。加えて、設置フレーム体２１の表面における各格子孔２２の周縁部には、ネジ孔２８、２８・・が設けられている。
【００１５】
このような設置フレーム体２１は、軸部２３、２３を軸支部１２、１２へ軸支させることによりベース体４へ取り付けられており、ベース体４の表面から前方へ起立して設置板１１の前方を開放する開姿勢と、ベース体４の表面側へ傾倒して設置板１１の前方を覆う閉姿勢との間で回動自在となっている。なお、係合部２４、２４を被係合部１３、１３に係合させることにより、設置フレーム体２１を閉姿勢で保持することができる。
【００１６】
また、設置フレーム体２１に情報機器３を取り付けるにあたっては、図２に示すように、支持段部２６上に載置した情報機器３に対してバンド部材３０を巻き回すことで、当該バンド部材３０により締め付け固定することができる。この際、図３に示すように、バンド部材３０を突起２７と突起２７との間に位置させれば、締め付け状態においてバンド部材３０がずれることを防止することができる。他には、図４及び図５に示すように、ネジ孔２８、２８を利用して設置フレーム体２１の表面に磁石３１をネジ止めし、当該磁石３１に情報機器３を吸着させて取り付けるとしてもよい。なお、バンド部材３０を巻き回すにあたっては、設置フレーム体２１全体に巻き回してもよいし、格子孔２２、２２・・を通すようにして巻き回してもよい。また、図７に示すように、ベース体４へは、上面に情報機器３を載置可能な機器載置板３２も必要に応じて組み付け可能となっている。
【００１７】
以上のような構成を有する箱体２によれば、フレーム状に形成された設置フレーム体２１を、設置板１１の一部の前側を覆う閉姿勢と、その一部の前側を開放する開姿勢との間で、上下方向を軸として回動自在に取り付けており、設置板１１の前面のみならず、設置フレーム体２１の前面にも情報機器３を設置可能としている。したがって、箱体２内に従来よりも広い設置スペースを確保することができ、より多彩で多くの情報機器３、３・・を収納可能で、使い勝手の優れた箱体２とすることができる。また、設置フレーム体２１を回動させて開姿勢とすれば、設置フレーム体２１を閉姿勢とした際に覆われる設置板１１の前側を開放させることができるため、設置板１１への情報機器３、３・・の設置作業が困難となることもない。
【００１８】
また、設置フレーム体２１に情報機器３を設置するにあたっては、バンド部材３０を巻き回して締め付け固定したり、磁石３１を取り付けて吸着させたりすることができるため、情報機器３の設置作業が非常に簡易となる。
さらに、設置フレーム体２１の周縁部に、外方へ突出する複数の突起２７、２７・・を所定間隔毎に設けているため、バンド部材３０を突起２７と突起２７との間に位置させることで、締め付け状態にあるバンド部材３０がずれたりしない。
【００１９】
さらにまた、設置フレーム体２１の下縁に、前方へせり出す支持段部２６を設けており、設置フレーム体２１に設置される情報機器の底面を支持可能としているため、設置フレーム体２１に対して情報機器３を安定して設置することができる。
またさらに、ベース体４における設置板１１よりも上方となる位置にコンセント設置部を設けるとともに、コンセント設置部と設置板１１との間に第２の通線孔４２、４２を設けているため、大型の電源プラグを電源コンセント２０に接続したとしても、第２の通線孔４２の前方空間を利用することで、電源プラグの設置板１１前方空間への干渉を抑えることができ、使用者が望む態様で種々の情報機器を搭載することができる。
加えて、コンセント設置部の後方に第１の通線孔４１、４１・・を設けているため、当該通線孔４１、４１・・を利用して電源コンセント２０から延びる電線をスムーズに引き出すことができる等、箱体２の使い勝手の向上を図ることができる。
【００２０】
なお、本発明に係る箱体の構造は、上記実施形態の態様に何ら限定されるものではなく、ベース体や設置板、設置体そのものの構造や、設置体の取付構造等について、本発明の趣旨を逸脱しない範囲で、必要に応じて適宜変更することができる。
【００２１】
たとえば、上記実施形態では、設置体としてフレーム状の設置フレーム体を採用しているが、板状の設置体を採用することも可能である。
また、上記実施形態では、設置体を回動可能に設けているが、設置体を動かないようにベース体に固定するとしても何ら問題はない。
さらに、上記実施形態では、２つの設置フレーム体をベース体に取り付けるとしているが、左右何れか一方のみを取り付けて使用することも可能である。
加えて、ベース体におけるコンセント設置部の位置や数、通線孔の位置や数等についても言うまでもなく設計変更可能である。
【符号の説明】
【００２２】
１・・情報分電盤、２・・箱体（情報分電盤用箱体）、４・・ベース体、５・・カバー体、１１・・設置板、１２・・軸支部、２１・・設置フレーム体（設置体）、２２・・格子孔、２６・・支持段部、２７・・突起、２８・・ネジ孔、３０・・バンド部材、３１・・磁石。
【図１】
2018074037.tif 000003
【図２】
2018074037.tif 000004
【図３】
2018074037.tif 000005
【図４】
2018074037.tif 000006
【図５】
2018074037.tif 000007
【図６】
2018074037.tif 000008
【図７】
2018074037.tif 000009